(57)【特許請求の範囲】
【請求項１】
成形機の固定ダイプレート及び可動ダイプレートに装着される金型を移動可能に支持する複数のローラを有する搬送架台と、
前記金型の温度を調整する温度調整装置と、
同温度調整装置に接続された可撓性ホースを前記金型に接続された可撓性ホースに中継接続するホース接続具と、
このホース接続具を前記金型の搬送方向に移動可能に支持するホース接続具支持手段と、
前記金型に設けた係合部材と、
前記ホース接続具に設けられて前記係合部材に係合して前記金型と前記ホース接続具とを連結する連結機構と、
を備え、前記ホース接続具は、前記金型の搬送方向移動に伴い前記連結機構を介して牽引されながら前記ホース接続具支持手段上を移動するようにしたことを特徴とする金型交換装置。
【請求項２】
前記ローラを回転駆動して前記金型を前記成形機上に搬送するローラ回転駆動手段をさらに備えた請求項１に記載された金型交換装置。
【請求項３】
前記係合部材は、前記金型の搬送方向と直交するように前記金型に水平に設けられた係合ピンであることを特徴とする請求項１または２に記載された金型交換装置。
【請求項４】
前記連結機構は、前記ホース接続具に取り付けられたブラケットと、同ブラケットに前記係合ピンと平行に支持されたピボット軸と、このピボット軸に回動自在に枢支された連結部材と、この連結部材を所定方向に付勢する付勢部材とを備えていることを特徴とする請求項３に記載された金型交換装置。
【請求項５】
前記連結部材は、前記係合ピンに係合するフック部を有していることを特徴とする請求項４に記載された金型交換装置。
【請求項６】
前記連結部材は、前記搬送架台に設けられた係合解除ピンと協働して前記係合ピンと前記フック部との係合を解除するための楔状先端部を有していることを特徴とする請求項５に記載された金型交換装置。
【発明の詳細な説明】
【０００１】
【発明の属する技術分野】
本発明は、射出成形機やプレス成形機などの成形機に付属設備として付設される金型交換装置に関する。
【０００２】
【従来の技術】
射出成形機やプレス成形機などの成形機に搭載される金型には、一般に、温度調整用の温水供給口と温水排出口が形成されており、これらの温水給排口に可撓性ホースを介して接続された温度調整装置と金型との間で温水を循環させて金型の温度を所定温度に保つようにしている。従って、このような金型を成形機上に搬送して金型の交換作業を行う場合、従来では成形機上に搬送された金型を成形機の固定ダイプレート及び可動ダイプレートに装着した後、金型と温度調整装置とを可撓性ホースにより接続しているため、金型の交換作業に時間がかかり、成形機の稼働率を低下させる要因となっていた。そこで、このような問題を解決するために、成形機の固定ダイプレート及び可動ダイプレートに装着される金型と温度調整装置とを可撓性ホースにより接続したままの状態で金型の交換作業を行えるようにした金型交換装置が特開平１−２７２４２７号公報に開示されている。
【０００３】
【発明が解決しようとする課題】
しかしながら、特開平１−２７２４２７号公報に開示された金型交換装置は、金型を成形機上に搬送する際に、温度調整装置に接続された可撓性ホースを金型に接続された可撓性ホースに中継接続するホース接続具（マニホールド）が金型側の可撓性ホースに牽引される形態で金型と共に移動する。このため、金型側の可撓性ホースに作用する負荷が過大な場合には、金型に接続された可撓性ホースがホース接続具あるいは金型から外れてしまうという問題があった。
【０００４】
本発明は前述した点に鑑みてなされたもので、その目的とするところは、成形機の固定ダイプレート及び可動ダイプレートに装着される金型を成形機上に搬送する際に、金型に接続された可撓性ホースがホース接続具あるいは金型から外れることを防止できる金型交換装置を提供することにある。
【０００５】
【課題を解決するための手段】
前述した課題を解決するため、本発明による金型交換装置は、成形機の固定ダイプレート及び可動ダイプレートに装着される金型を移動可能に支持する複数のローラを有する搬送架台と、前記金型の温度を調整する温度調整装置と、同温度調整装置に接続された可撓性ホースを前記金型に接続された可撓性ホースに中継接続するホース接続具と、このホース接続具を前記金型の搬送方向に移動可能に支持するホース接続具支持手段と、前記金型に設けた係合部材と、前記ホース接続具に設けられて前記係合部材に係合して前記金型と前記ホース接続具とを連結する連結機構と、を備え、前記ホース接続具は、前記金型の搬送方向移動に伴い前記連結機構を介して牽引されながら前記ホース接続具支持手段上を移動するよう構成されていることを特徴とする。
その場合、前記ローラを回転駆動して前記金型を前記成形機上に搬送するローラ回転駆動手段をさらに備えて構成することができる。
【０００６】
本発明の好適な一実施形態では、係合部材が金型の搬送方向と直交するように金型に水平に設けられた係合ピンであり、連結機構はホース接続具に取り付けられたブラケットと、このブラケットに係合ピンと平行に支持されたピボット軸と、このピボット軸に回動自在に枢支された連結部材と、この連結部材を所定方向に付勢する付勢部材とを備えている。また、連結部材は係合ピンに係合するフック部を有し、さらに搬送架台に設けられた係合解除ピンと協働して係合ピンとフック部との係合を解除するための楔状先端部を有している。
【０００７】
【発明の実施の形態】
以下、本発明の一実施形態を図１乃至図４を参照して説明する。図１において、符号１０は射出成形機を示し、この射出成形機１０の片側には、本発明の一実施形態に係る金型交換装置２０が設置されている。
【０００８】
金型交換装置２０は搬送架台２２を備えており、この搬送架台２２上には、射出成形機１０の固定ダイプレート１２及び可動ダイプレート１４に装着される金型１６を支持する多数のローラ２４が設けられている。これらのローラ２４は搬送架台２２上に二列に配列されており、各ローラ２４のローラ軸には、同ローラを回転駆動して金型１６を射出成形機１０上に搬送するローラ回転駆動手段としてのスプロケット２６（図２参照）が取り付けられ、同スプロケット２６は図示しないチェーンおよび駆動モータを介して回転駆動されるようになっている。
【０００９】
また、金型交換装置２０は金型１６の温度を温水等により調整する温度調整装置２８と、この温度調整装置２８に接続された可撓性ホース３０を金型１６に接続された可撓性ホース３２に中継接続するホース接続具３４と、このホース接続具３４を金型１６の搬送方向に移動可能に支持する一対の案内バー３６とを備えており、金型１６には係合部材としての係合ピン３８が突設されている。この係合ピン３８は金型１６の搬送方向に直交するように水平に設けられており、前記ホース接続具３４には、係合ピン３８に係合して金型１６とホース接続具３４とを連結する連結機構４０が設けられている。なお、前記一対の案内バー３６は、本発明におけるホース接続具支持手段を構成している。
【００１０】
連結機構４０は、図３に示されるように、ホース接続具３４に固定されたブラケット４２と、このブラケット４２に係合ピン３８と平行に支持されたピボット軸４４と、このピボット軸４４に回動自在に支持された連結部材４６とを備えており、連結部材４６には係合ピン３８に係合するＵ字形のフック部４８が設けられているとともに、搬送架台２２の前端部に設けられた係合解除ピン５０と協働して係合ピン３８とフック部４８との係合を解除する楔状先端部５２が設けられている。また、連結機構４０は連結部材４６を所定方向（図中時計方向）に付勢する付勢部材としてのコイルばね５４とを備えており、前記ブラケット４２にはコイルばね５４により付勢された連結部材４６を受け止めるストッパ５６が設けられている。
【００１１】
なお、前記射出成形機１０の固定ダイプレート１２及び可動ダイプレート１４には、図４に示されるように、金型交換装置２０により搬送された金型１６を射出成形機上に案内する複数のガイドローラ５８が設けられているとともに、これらのガイドローラ５８により案内された金型１６をクランプするクランプ装置６０と位置決めピン６２（図１参照）が設けられている。
【００１２】
このように構成される本発明の一実施形態では、搬送架台２２上に設けられたローラ２４をスプロケット２６により駆動して金型１６を搬送架台２２の前端部へ搬送すると、連結機構４０を介して金型１６と連結されたホース接続具３４が連結機構４０の連結部材４６に牽引されながら金型１６と共に搬送架台２２の前端部へ移動する。従って、金型１６を搬送する際に金型側の可撓性ホース３２に過大な負荷が作用することがないので、成形機の固定ダイプレート及び可動ダイプレートに装着される金型を成形機上に搬送する際に、金型に接続された可撓性ホースがホース接続具あるいは金型から外れることを防止できる。
【００１３】
また上述した実施形態では、搬送架台２２の前端部に搬送された金型１６が射出成形機１０上に乗り移ろうとすると、連結部材４６の楔状先端部５２が搬送架台２２の前端部に設けられた係合解除ピン５０と当接し、これにより連結部材４６がコイルばね５４の付勢力に抗して図中反時計方向に回動することによって係合ピン３８とフック部４８との係合が自動的に解除されるため、金型１６の交換作業をより迅速に行うことができる。
【００１４】
なお、上述した実施形態では、金型の搬送移動はローラを回転駆動することにより行なうものとして説明したが、本発明の趣旨からすれば、例えば、比較的小型の射出成形機において取り扱う金型の重量が小さい場合は、作業者が手動で当該金型を複数のローラ上で移動させるようにすることも可能である。
また、上述した実施形態では、射出成形機に付設される金型交換装置に本発明を適用した場合を説明したが、本発明はこれに限定されるものではなく、プレス成形機にも本発明を適用することができる。
【００１５】
【発明の効果】
以上説明したように、本発明によれば、金型交換装置は、成形機の固定ダイプレート及び可動ダイプレートに装着される金型を移動可能に支持する複数のローラを有する搬送架台と、前記金型の温度を調整する温度調整装置と、同温度調整装置に接続された可撓性ホースを前記金型に接続された可撓性ホースに中継接続するホース接続具と、このホース接続具を前記金型の搬送方向に移動可能に支持するホース接続具支持手段と、前記金型に設けた係合部材と、前記ホース接続具に設けられ、前記係合部材に係合して前記金型と前記ホース接続具とを連結する連結機構と、を備え、前記ホース接続具は、前記金型の搬送方向移動に伴い前記連結機構を介して牽引されながら前記ホース接続具支持手段上を移動するよう構成されているので、成形機の固定ダイプレート及び可動ダイプレートに装着される金型を成形機上に搬送する際に、金型に接続された可撓性ホースがホース接続具あるいは金型から外れることを防止することができる。
【図面の簡単な説明】
【図１】本発明の一実施形態に係る金型交換装置の概略構成を示す図である。
【図２】図１に示す金型交換装置の背面図である。
【図３】図１に示す連結機構の構成を示す図である。
【図４】図１に示す射出成形機の固定ダイプレートと可動ダイプレートを側方から見た図である。
【符号の説明】
１０  射出成形機
１２  固定ダイプレート
１４  可動ダイプレート
１６  金型
２０  金型交換装置
２２  搬送架台
２４  ローラ
２６  スプロケット
２８  温度調整装置
３０，３２  可撓性ホース
３４  ホース接続具
３６  案内バー
３８  係合ピン
４０  連結機構
４２  ブラケット
４４  ピボット軸
４６  連結部材
４８  フック部
５０  係合解除ピン
５２  楔状先端部
５４  コイルばね
５６  ストッパ
５８  ガイドローラ
【図１】
0003881500.tif 000002
【図２】
0003881500.tif 000003
【図３】
0003881500.tif 000004
【図４】
0003881500.tif 000005